【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
モジュール式ボトル閉鎖具（１０、１０Ａ、１０Ｃ、１０Ｄ、６０、７０、１３０、１７０、２２０、２６０）であって、
ａ）上側表面（２、１７２、２０２、２６２）と、前記上側表面から下方に延在する少なくとも１つの側壁（６、１３３、１３４、２２６−２２８、２７１、２７４）とを含む１つまたは複数の外側表面を有し、前記少なくとも１つの側壁は、中空内部を画定するとともに当該閉鎖具の底部端子エッジ（１３、２１９、２２４）を形成し、
ｂ）１つまたは複数の前記外側表面から外側に突出する、複数の離間した係合要素（４、１３２、１８１、１８５、２６４）を有し、
ｃ）ボトルキャップ（１５、２４Ａ−Ｂ）を受容し固定するために前記内部内に形成されるボトルキャップインタフェース要素（８Ａ、８Ｃ、８Ｄ）を有し、
ｄ）閉鎖具の端子エッジに一致するか、または、前記端子エッジから窪んだ結合セクション（２１；１９７；２１９、２２２；２６４）を有し、前記結合セクションは、別の閉鎖具の係合要素に摩擦係合し、それにより、１つまたは複数の閉鎖具を共に結合する、
閉鎖具。
【請求項２】
前記複数の係合要素（４、１３２、１８１、１８５、２６４）は、複数の領域（Ａ−Ｇ、Ｉ、Ｋ−Ｍ）に配列され、前記結合セクション（２１；２１９、２２２；２６４）の異なる部分は、対応する別の係合要素領域に選択的に係合可能である、請求項１に記載の閉鎖具。
【請求項３】
ある領域（Ａ−Ｇ、Ｉ、Ｋ−Ｍ）の各係合要素の面（４１−４４、４６、４７、４９、５１−５３，１８２−１８４、１８６−１８８）は、選択された結合セクション部分の周縁部と実質的に同じ形状および長さの接触表面、および第１の係合要素領域の接触表面に摩擦係合する面であって前記選択された結合セクション部分の内面としての軌跡（３１Ａ、３２Ａ、３３Ａ、１９１Ｂ−Ｅ、２３２Ａ−Ｃ、２６７Ａ−Ｂ）を画定する、請求項２に記載の閉鎖具。
【請求項４】
前記選択された結合セクション部分の外面はまた、第２の係合要素領域の接触表面に摩擦係合し、前記第１および第２の係合要素領域は、共通隙間によって分離され、前記共通隙間は、弓状隙間（３１−３５、Ｘ、Ｙ）又は線状隙間（３７−３８）である、請求項３に記載の閉鎖具。
【請求項５】
第１の結合セクション部分は、第１の閉鎖具（６０ａ）の係合要素領域に摩擦係合し、第２の結合セクション部分は、第２の閉鎖具（６０ｂ）の係合要素領域に摩擦係合する、請求項２に記載の閉鎖具。
【請求項６】
平坦な上側表面（２、１７２、２０２、２６２）、および前記上側表面から下に垂直に延在する少なくとも１つの側壁（６、１３３、１３４、２２６−２２８、２７１、２７４））を有し、前記上側表面は、正方形、長方形、円形、半楕円形および三角形からなる群から選択される断面を有する、請求項１に記載の閉鎖具。
【請求項７】
前記複数の係合要素（４、１３２、１８１、１８５、２６４）は、前記上側表面（２、１７２、２０２、２６２）から突出する、請求項６に記載の閉鎖具。
【請求項８】
前記複数の係合要素（４、１３２、１８１、１８５、２６４）は、１つまたは複数の前記側壁（６、１３３、１３４、２２６−２２８、２７１、２７４）から突出し、それにより、１つまたは複数の閉鎖具を横に共に結合する、請求項６に記載の閉鎖具。
【請求項９】
前記ボトルキャップインタフェース要素（８Ａ、８Ｃ、８Ｄ）は、前記上側表面（２、１７２、２０２、２６２）に実質的に垂直で、かつ、前記上側表面から下に延在するキャップ受容要素（９）を含み、
ボトルキャップが、好適な取付手段により前記キャップ受容要素に固定して取り付けられ、ボトル口部（２０）が開閉される際に、該閉鎖具およびボトルキャップが一体的に回転し、
前記取付手段は、前記キャップ受容要素から内側に突出するとともに、円周方向に離間し垂直に配設された要素（１１）を含み、内側に突出する前記要素は、前記ボトルキャップ（１５）の隣接するグリップセグメント（１６）間に位置する、対応する間隙（１７）に脱着可能に係合するようされ、もしくは、
前記ボトルキャップ（１５）は、溶融または接着の手段によって前記キャップ受容要素に固定して取り付けられ、もしくは、
前記取付手段は、前記キャップ受容要素から内側に突出するとともに、円周方向に離間し垂直に配設された要素（１８）を備え、内側に突出する前記要素は、前記ボトルキャップ（２４Ａ−Ｂ）内で形成される、対応する凹部（３６）に摩擦係合するようにされる、
請求項６に記載の閉鎖具。
【請求項１０】
複数の閉鎖具（１０、１０Ａ、１０Ｃ、１０Ｄ、６０、７０、１３０、１７０、２２０、２６０）は、積み重ね可能である、請求項６に記載の閉鎖具。
【請求項１１】
前記閉鎖具（１０、１０Ａ、１０Ｃ、２２０）は、正方形断面セクションおよび管状結合セクション（２１；２１９、２２２）を有し、下にある閉鎖具の角部係合要素（４ｄ）は、上にある閉鎖具の対応するソケット（２５、２２５）内に受容され、前記ソケットはそれぞれ、２つの隣接する側壁（６、２２６−２２９）および前記２つの隣接する側壁の一部分に接続された対応する結合セクション部分によって画定される、請求項１０に記載の閉鎖具。
【請求項１２】
第１の係合要素領域（４ｆ、４ｂ、４ｇ；Ｆ；Ｇ）の第１の接触表面は凸状であり、第２の係合要素領域（４e；１８５Ｂ、１７５；１８５Ｃ、１７５、１８５Ａ）の第２の接触表面は凹状であり、前記第１および第２の接触表面は、前記弓状隙間（３３、Ｘ、Ｙ）によって、選択された結合セクション部分の厚みと実質的に等しい距離だけ分離される、請求項４に記載の閉鎖具。
【請求項１３】
前記ボトルキャップ（２４Ｂ）は、前記受容要素（９）に移動不能に取付けられ、前記ボトルキャップは、外側に向かって傾斜する上側部分（４８）、および前記上側部分の下のリング要素（４９）を有するように構成され、前記受容要素（９）は、上側部分（２８）、および前記受容要素の上側部分から窪みかつ前記受容要素の上側部分の下に位置する部分（２９）を有するように構成され、前記ボトルキャップの上側部分は、前記受容要素の上側部分によって圧迫され、前記リング要素は、前記ボトルキャップと前記受容要素とが係合している間に前記窪んだ部分内に受容され、それにより、移動不能に取り付けることが容易になる、請求項９に記載の閉鎖具。
【請求項１４】
領域（Ａ、Ｂ、Ｋ、Ｌ）に配列された複数の係合要素が第１の側壁（２２６、２２８、２７１、２７４）から突出し、前記複数の係合要素に相補的な複数の窪み部分（２３４ｂ、２３４ｄ、２７６）が第２の側壁（２２７、２２９）に形成され、第１の閉鎖具（２２０Ｇ）の係合要素は、第２の閉鎖具（２２０Ｆ）の前記相補的な窪み部分に受容される、請求項８に記載の閉鎖具。
【請求項１５】
第１の閉鎖具（２２０Ｅ）の結合セクション（２１９）は、第２の閉鎖具（２２０ＦＧ）の側壁（２２６）から突出する係合要素に摩擦係合する、請求項８に記載の閉鎖具。
【請求項１６】
前記少なくとも１つの側壁（６）の端子エッジは、前記結合セクション（２１）の端子エッジと同一平面上にある、請求項６に記載の閉鎖具。
【請求項１７】
前記少なくとも１つの側壁（２７１、２７４）の端子エッジは、結合セクション（２６４）である、請求項６に記載の閉鎖具。
【請求項１８】
複数の閉鎖具（１０、１０Ａ−Ｄ、６０、７０、１３０、１７０、２２０、２６０）から組み立てられる構築システム（９０、１１０、１５０、２１０、２４０）であって、前記閉鎖具はそれぞれ、請求項１から１７のいずれか１項に記載の閉鎖具であり、
２つの結合された閉鎖具（１０；１０ａ、６０ａ；１３０；１７０Ａ―Ｂ；２２０Ｃ−Ｄ）が、下にある表面から垂直に延在し、もしくは、
第２の閉鎖具（２２０Ｆ）は、第１の閉鎖具（２２０Ｅ）から横に延在しかつその第１の閉鎖具に結合し、前記第１および第２の閉鎖具は、下にある表面に平行であり、もしくは、
２つの結合した閉鎖具は、下にある表面から斜めに延在する、
構築システム。
【請求項１９】
第２の閉鎖具（２２０Ｆ）は、片持ち梁方式で懸垂保持され、前記第２の閉鎖具に結合された第３の閉鎖具（２２０Ｇ）を支持するのに十分に構造的に強い、請求項１８に記載の構築システム。
【請求項２０】
異なる模様（１１５）が、前記複数の閉鎖具（１０、１０Ａ、１０Ｃ、１０Ｄ、６０、７０、１３０、１７０、２２０、２６０）のそれぞれの表面に付けられ、前記模様はそれぞれ、構築システムが所定の配置構成に従って組み立てられると示現するパズル（１１７）の一部分を構成する、請求項１８に記載の構築システム。
【請求項２１】
前記パズルは３次元パズルである、請求項１８に記載の構築システム。
【請求項２２】
前記ボトルキャップと一体的に形成され、前記ボトルキャップインタフェース要素（８ｂ）は、ボトル口部と係合可能なめねじ（１２）を有して形成される、
請求項１に記載の閉鎖具。